(57)【特許請求の範囲】
【請求項１】
データベース格納装置に格納されたプリント基板に配置すべき電子部品の情報、及び情報格納装置に格納されたプリント基板設計に関する情報に基づいて、自動配置処理実行装置及び自動配線処理実行装置にて前記プリント基板への部品配置および電子部品同士の配線を決定するプリント基板自動配置配線決定方法において、自動配置処理実行装置にて電子部品のプリント基板への配置を電子部品同士の配線に先だって決定し、前記プリント基板への配置が決定された電子部品の中から、部品相互間の配線長さを短くするよう指定されペア部品情報格納装置に格納されているペア部品を接続関係検出装置にて検索し、前記ペア部品が検索された場合に、自動配線処理実行装置にて配線を決定する際、前記ペア部品の配線を、ペア部品以外の他の部品の配線に先立って決定した後、ペア部品以外の他の部品の配線を決定することを特徴とするプリント基板自動配置配線決定方法。
【請求項２】
自動配置処理実行装置にてプリント基板への部品配置を決定する際、対象になっている電子部品のプリント基板への配置を決定すると共にこの電子部品がペア部品であるか否かを判断し、ペア部品であればペア部品である旨の情報を取得しておき、次いで相手側になるペア部品が配置されているか否かを検索し、相手側になるペア部品があれば両ペア部品の関係を表示画面に強調表示した後、次の電子部品の部品配置を決定する工程に移行し、ペア部品でない場合、及びペア部品と判断されても相手側になるペア部品が配置されていない場合には、その後すぐに次の部品の部品配置を決定する工程に移行する請求項１に記載のプリント基板自動配置配線決定方法。
【請求項３】
自動配置処理実行装置にてプリント基板への部品配置を決定する際、対象になっている電子部品のプリント基板への配置を決定すると共にこの電子部品がペア部品であるか否かを判断し、ペア部品であればペア部品である旨の情報を取得しておき、次いで相手側になるペア部品が配置されているか否かを検索し、相手側になるペア部品があれば自動配線処理実行装置にて通常の配線決定に先立ち両ペア部品間の配線を決定し、その後次の電子部品の部品配置を決定する工程に移行し、ペア部品でない場合、及びペア部品と判断されても相手側になるペア部品が配置されていない場合には、その後すぐに次の部品の部品配置を決定する工程に移行する請求項１に記載のプリント基板自動配置配線決定方法。
【請求項４】
プリント基板に配置すべき電子部品の情報を格納するデータベース格納部と、前記プリント基板の設計に関する情報を格納する情報格納部と、前記データベース格納部の情報及び前記情報格納部の情報に基づき前記プリント基板の部品配置を決定する自動配置処理実行部と、前記データベース格納部の情報及び前記情報格納部の情報に基づき前記プリント基板の配線を決定する自動配線処理実行部とを有するプリント基板自動配置配線決定装置において、部品相互間の配線の長さを短くするよう指定されているペア部品に関する情報を記憶するペア部品情報格納手段と、前記自動配置処理実行部が部品配置を決定した電子部品の中から前記ペア部品を検索する接続関係検索手段と、前記接続関係検索手段が検索した前記ペア部品を表示画面に表示し、前記の表示画面に表示したペア部品の配線を他の電子部品の配線に先立って決定するように前記自動配線処理実行部を制御する第１最適配線決定手段とを備えたペア部品処理部を有することを特徴とするプリント基板自動配置配線決定装置。
【請求項５】
プリント基板に配置すべき電子部品の情報を格納するデータベース格納部と、前記プリント基板の設計に関する情報を格納する情報格納部と、前記データベース格納部の情報及び前記情報格納部の情報に基づき前記プリント基板の部品配置を決定する自動配置処理実行部と、前記データベース格納部の情報及び前記情報格納部の情報に従って前記プリント基板の配線を決定する自動配線処理実行部とを有するプリント基板自動配置配線決定装置において、部品相互間の配線の長さを短くするよう指定されているペア部品に関する情報を記憶するペア部品情報格納手段と、前記自動配置処理実行部が部品配置を決定した電子部品の中から前記ペア部品を検索する接続関係検索手段と、前記接続関係検索手段が検索したペア部品の配線を前記情報格納部の情報に従い、前記自動配線処理実行部の配線決定動作に先立って決定する第２最適配線決定手段とを備えたペア部品処理部を有することを特徴とするプリント基板自動配置配線決定装置。
【請求項６】
ペア部品は、バイパスコンデンサと集積回路部品、又は、バイパスコンデンサとコネクタである請求項４又は５に記載のプリント基板自動配置配線決定装置。
【請求項７】
ペア部品は、クロック部品と中央処理装置部品である請求項４又は５に記載のプリント基板自動配置配線決定装置。
【請求項８】
ペア部品情報格納手段はペア部品を部品名で登録した電子部品種類指定ファイルを有し、接続関係検索手段は前記電子部品種類指定ファイルから検索する請求項４又は５に記載のプリント基板自動配置配線決定装置。
【請求項９】
ペア部品情報格納手段はペア部品をペア部品が含まれた回路名で登録したネット情報指定ファイルを有し、接続関係検索手段は前記ネット情報指定ファイルから検索する請求項４又は５に記載のプリント基板自動配置配線決定装置。
【請求項１０】
ペア部品情報格納手段はペア部品を部品番号で登録した電子部品番号指定ファイルを有し、接続関係検索手段は前記電子部品番号指定ファイルから検索する請求項４又は５に記載のプリント基板自動配置配線決定装置。
【発明の詳細な説明】
【０００１】
【産業上の利用分野】
本発明は、プリント基板の部品の位置と配線とを自動設計するプリント基板自動配置配線決定方法とその装置に関するものである。
【０００２】
【従来の技術】
プリント基板自動配置配線決定方法とその装置の従来例としては、特開平２−２０５９７４号公報や特開平４−２６４９８３号公報に記載のものがある。
【０００３】
上記の従来例を図９に基づいて説明する。
【０００４】
図９において、従来例は、設計者がコマンド等を入力する入力部２１と、前記の入力されたコマンドを解析する解析部２２と、プリント基板上に配置する電子部品の情報を記憶するデータベース格納部２３と、プリント基板の設計に関して蓄積された知識・ノウハウを格納する情報格納部２４と、入力部２１からの入力によりデータベース格納部２３の情報に基づき情報格納部２４の情報に従って電子部品の自動配置を行う自動配置処理実行部２５と、データベース格納部２３の情報に基づき情報格納部２４の情報に従って自動配置処理実行部２５が設計した部品配置に対する配線を自動的に設計する自動配線処理実行部２６と、前記の実行結果を出力する出力部２７とからなる。
【０００５】
【発明が解決しようとする課題】
しかし、上記の従来例の構成では、配置し配線すべき電子部品の組合せの中に、ノイズ防止や電気特性上の必要性により、配線を短くすべき部品の組合せ（以後、ペア部品という。）が存在する場合、ペア部品の配線が配線設計の初期に行われ、邪魔になる配線が無ければ、ペア部品に適正な配線の設計が可能であるが、ペア部品の配線を設計するまでに邪魔になる配線が行われていると、ペア部品の配線が出来なかったり、或いは、遠回りの迂回経路で配線してしまうという問題点がある。
【０００６】
ペア部品が存在する場合、上記の対策として、従来例では、自動配置と自動配線とが終了した後に、設計者が、予め指定さているペア部品の配線を確認し、そのペア部品の配線が適正でない場合には、プリント基板自動配置配線決定装置の編集機能を使用して図１０、図１１に示すように修正する。
【０００７】
図１０において、電子部品１、２、３、４が配置され、電子部品３のバイパスコンデンサと電子部品４のＩＣとがノイズ防止や電気特性のために配線を短くすべきペア部品である場合、電子部品３のバイパスコンデンサと電子部品４のＩＣとの間に電子部品１のＩＣと電子部品２のＩＣとの配線が先にできていれば、電子部品３のバイパスコンデンサと電子部品４のＩＣとを最短距離で結ぶ配線経路が妨げられて配線不可能になる。
【０００８】
上記の場合には、設計者は、電子部品１のＩＣと電子部品２のＩＣとの間の配線を図１１に示すように修正し、電子部品３のバイパスコンデンサと電子部品４のＩＣとを最短距離の配線で結んでいる。
【０００９】
上記の修正には、予め指定されているペア部品について、作業者が一組ずつチェックしなければならず、多くの時間と労力を要し、効率の悪い設計作業になるという問題点がある。
【００１０】
本発明は、上記の問題点を解決し、配線の修正不要又は修正容易なプリント基板自動配置配線決定方法とその装置の提供を課題とする。
【００１１】
【課題を解決するための手段】
本願第１発明のプリント基板自動配置配線決定方法は、上記の課題を解決するために、データベース格納装置に格納されたプリント基板に配置すべき電子部品の情報、及び情報格納装置に格納されたプリント基板設計に関する情報に基づいて、自動配置処理実行装置及び自動配線処理実行装置にて前記プリント基板への部品配置および電子部品同士の配線を決定するプリント基板自動配置配線決定方法において、自動配置処理実行装置にて電子部品のプリント基板への配置を電子部品同士の配線に先だって決定し、前記プリント基板への配置が決定された電子部品の中から、部品相互間の配線長さを短くするよう指定されペア部品情報格納装置に格納されているペア部品を接続関係検出装置にて検索し、前記ペア部品が検索された場合に、自動配線処理実行装置にて配線を決定する際、前記ペア部品の配線を、ペア部品以外の他の部品の配線に先立って決定した後、ペア部品以外の他の部品の配線を決定することを特徴とする。
【００１２】
本願第２発明のプリント基板自動配置配線決定装置は、上記の課題を解決するために、プリント基板に配置すべき電子部品の情報を格納するデータベース格納部と、前記プリント基板の設計に関する情報を格納する情報格納部と、前記データベース格納部の情報及び前記情報格納部の情報に基づき前記プリント基板の部品配置を決定する自動配置処理実行部と、前記データベース格納部の情報及び前記情報格納部の情報に基づき前記プリント基板の配線を決定する自動配線処理実行部とを有するプリント基板自動配置配線決定装置において、部品相互間の配線の長さを短くするよう指定されているペア部品に関する情報を記憶するペア部品情報格納手段と、前記自動配置処理実行部が部品配置を決定した電子部品の中から前記ペア部品を検索する接続関係検索手段と、前記接続関係検索手段が検索した前記ペア部品を表示画面に表示し、前記の表示画面に表示したペア部品の配線を他の電子部品の配線に先立って決定するように前記自動配線処理実行部を制御する第１最適配線決定手段とを備えたペア部品処理部を有することを特徴とする。
【００１３】
本願第３発明のプリント基板自動配置配線決定装置は、上記の課題を解決するために、プリント基板に配置すべき電子部品の情報を格納するデータベース格納部と、前記プリント基板の設計に関する情報を格納する情報格納部と、前記データベース格納部の情報及び前記情報格納部の情報に基づき前記プリント基板の部品配置を決定する自動配置処理実行部と、前記データベース格納部の情報及び前記情報格納部の情報に従って前記プリント基板の配線を決定する自動配線処理実行部とを有するプリント基板自動配置配線決定装置において、部品相互間の配線の長さを短くするよう指定されているペア部品に関する情報を記憶するペア部品情報格納手段と、前記自動配置処理実行部が部品配置を決定した電子部品の中から前記ペア部品を検索する接続関係検索手段と、前記接続関係検索手段が検索したペア部品の配線を前記情報格納部の情報に従い、前記自動配線処理実行部の配線決定動作に先立って決定する第２最適配線決定手段とを備えたペア部品処理部を有することを特徴とする。
【００１４】
上記第２又は第３発明のプリント基板自動配置配線決定装置は、上記の課題を解決するために、ペア部品は、バイパスコンデンサと集積回路部品、又は、バイパスコンデンサとコネクタであることが好適である。
【００１５】
又、第２又は第３発明のプリント基板自動配置配線決定装置は、上記の課題を解決するために、ペア部品は、クロック部品と中央処理装置部品であることが好適である。
【００１６】
又、第２又は第３発明のプリント基板自動配置配線決定装置は、上記の課題を解決するために、ペア部品情報格納手段はペア部品を部品名で登録した電子部品種類指定ファイルを有し、接続関係検索手段は前記電子部品種類指定ファイルから検索することが好適である。
【００１７】
又、第２又は第３発明のプリント基板自動配置配線決定装置は、上記の課題を解決するために、ペア部品情報格納手段はペア部品をペア部品を含む回路名で登録したネット情報指定ファイルを有し、接続関係検索手段は前記ネット情報指定ファイルから検索することが好適である。
【００１８】
又、第２又は第３発明のプリント基板自動配置配線決定装置は、上記の課題を解決するために、ペア部品情報格納手段はペア部品をペア部品を部品番号で登録した電子部品番号指定ファイルを有し、接続関係検索手段は前記電子部品番号指定ファイルから検索することが好適である。
【００１９】
【作用】
本願第１発明のプリント基板自動配置配線決定方法は、データベース格納装置に格納されたプリント基板に配置すべき電子部品の情報、及び情報格納装置に格納されたプリント基板設計に関する情報に基づいて、自動配置処理実行装置及び自動配線処理実行装置にて前記プリント基板への部品配置および電子部品同士の配線を決定するプリント基板自動配置配線決定方法において、自動配置処理実行装置にて電子部品のプリント基板への配置を電子部品同士の配線に先だって決定し、前記プリント基板への配置が決定された電子部品の中から、ノイズ防止等の電気特性を適正値にするために部品相互間の配線長さを短くするよう指定されペア部品情報格納装置に格納されているペア部品を接続関係検出装置にて検索し、前記ペア部品が検索された場合に、自動配線処理実行装置にて配線を決定する際、前記ペア部品の配線を、ペア部品以外の他の部品の配線に先立って決定した後、ペア部品以外の他の部品の配線を決定するので、配線条件が予め指定されているペア部品の配線を、指定条件通りに決定することができる。
【００２０】
本願第２発明のプリント基板自動配置配線決定装置は、ノイズ防止等の電気特性を適正値にするために配線の長さを短くするように配線条件が予め指定されているペア部品に関する情報を入力されて記憶するペア部品情報格納手段と、前記自動配置処理実行部が部品配置を決定した電子部品の中から前記ペア部品を検索する接続関係検索手段と、前記接続関係検索手段が検索した前記ペア部品を表示画面に表示し、前記の表示画面に表示したペア部品の配線を他の電子部品の配線に先立って決定するように前記自動配線処理実行部を制御する第１最適配線決定手段とを備えたペア部品処理部を有するので、予め指定されているペア部品があれば、それらのペア部品は配置直後に表示手段に表示され、自動配置配線終了後もそれらの表示が残っているので、未熟な作業者でも、ペア部品の確認が容易であり、ペア部品間の配線を修正する必要がある場合でも、編集機能による修正が容易であり、設計効率を向上できる。
【００２１】
本願第３発明のプリント基板自動配置配線決定装置は、ノイズ防止等の電気特性を適正値にするために配線の長さを短くするように配線条件が予め指定されているペア部品に関する情報を入力されて記憶するペア部品情報格納手段と、前記自動配置処理実行部が部品配置を決定した電子部品の中から前記ペア部品を検索する接続関係検索手段と、前記接続関係検索手段が検索したペア部品の配線を前記情報格納部の情報に従い、前記自動配線処理実行部の配線決定動作に先立って決定する第２最適配線決定手段とを備えたペア部品処理部を有するので、予め指定されているペア部品があれば、それらのペア部品が配置後に検出され、検出されたペア部品の配線の決定が他の部品の配線の決定に先立って行われ、作業者による修正が不要になり、設計効率を大幅に向上できる。
【００２２】
【実施例】
本発明のプリント基板自動配置配線決定方法を使用するプリント基板自動配置配線決定装置の実施例の構成を図１に基づいて説明する。
【００２３】
図１に示すように、本実施例は、設計に必要な情報及びコマンドを入力する入力部１と、前記の入力されたコマンドを解析する解析部２と、プリント基板に配置すべき電子部品の情報を入力されて格納するデータベース格納部３と、前記プリント基板の設計に関する情報を入力されて格納する情報格納部４と、前記データベース格納部３の情報に基づき、且つ、前記情報格納部４の情報に従って前記プリント基板の部品配置を決定する自動配置処理実行部５と、前記データベース格納部３の情報に基づき、且つ、前記情報格納部４の情報に従って前記プリント基板の配線を決定する自動配線処理実行部１０と、上記の実行結果を出力する出力部１１とを有するプリント基板自動配置配線決定装置において、ノイズ防止等の電気特性を適正値にするために配線の長さを短くする等の配線条件が予め指定されているペア部品に関する情報を入力されて記憶するペア部品情報格納手段７と、前記自動配置処理実行部５が部品配置を決定した電子部品の中から前記ペア部品を検索する接続関係検索手段８と、前記接続関係検索手段８が検索した前記ペア部品を表示画面に表示し、前記の表示画面に表示したペア部品の配線を他の電子部品の配線に先立って決定するように前記自動配線処理実行部１０を制御する第１最適配線決定手段９とを備えたペア部品処理部を有する。
【００２４】
尚、上記の第１最適配線決定手段９の代わりに、前記接続関係検索手段８が検索したペア部品の配線を前記情報格納部４の情報に従い、前記自動配線処理実行部１０の配線決定動作に先立って決定する第２最適配線決定手段としても良い。
【００２５】
以下に、本実施例の動作を図１〜図８に基づいて説明する。
【００２６】
図１において、予め、作業者が入力部１を使用し、データベース格納部３にプリント基板に配置すべき電子部品の情報を入力して記憶させ、情報格納部４にプリント基板の設計に関する情報を入力して記憶させ、ペア部品情報格納部７にペア部品の情報を入力して記憶させる。
【００２７】
前記のプリント基板に配置すべき電子部品の情報は、部品種類、部品番号、部品形状・サイズ等の配置、配線に必要なデータを含んでいる。
【００２８】
前記のプリント基板の設計に関する情報の中には、夫々の部品のプリント基板上の配置条件や夫々の部品の配線条件が含まれる。例えば、有害なノイズを拾うのを防止するために、特定の部品、例えば、バイパスコンデンサと集積回路部品、バイパスコンデンサとコネクタ、クロック部品と中央処理装置部品等の配線を短くすることや、複数のメモリ部品は纏めて配置する等の配置条件に関する情報が含まれる。
【００２９】
ペア部品情報格納部７に入力する情報は、図６（ａ）に示すように、ペア部品を部品種類名で示した電子部品種類指定によるファイル、図６（ｂ）に示すように、ペア部品を含む回路名を示したネット情報指定によるファイル、図６（ｃ）に示すように、ペア部品を部品番号で示した電子部品番号指定によるファイル等である。
【００３０】
図７は、図６（ｂ）のネット情報指定によるファイルのネット名：BYP1の配線を示す。
【００３１】
図８は、図６（ｂ）のネット情報指定によるファイルのネット名：CLK の配線を示す。
【００３２】
次いで、作業者が入力部１にコマンドを入力し、解析部２が前記コマンドを解析すると、自動配置処理実行部５が起動する。
【００３３】
図２のフローチャートに、自動配置処理実行部５と、ペア部品情報格納手段７と、接続関係検索手段８と、第１最適配線決定手段９との動作を示す。
【００３４】
ステップ＃１において、データベース格納部３に基づいて、配置対象になる電子部品が残っているか否かを判断し、残っていなければ自動配置処理を終了し、残っていればステップ＃２に進む。
【００３５】
ステップ＃２において、自動配置処理実行部５が、前記データベース格納部３の情報に基づき、且つ、前記情報格納部４の情報に従って前記プリント基板の部品配置を決定する。
【００３６】
ステップ＃３において、接続関係検索手段８が、現在対象になっている電子部品がペア部品か否かを、ペア部品情報格納部７の情報に基づいて判断し、ペア部品であれば、ペア部品の一つの情報として取得しておき、ステップ＃４に進み、ペア部品でなければ、ステップ＃６に進む。
【００３７】
ステップ＃４において、接続関係検索手段８が、前記のペア部品に対して相手側になるペア部品が配置されているか否かをペア部品情報格納部７の情報に基づいて検索する。相手のペア部品がなければ、ステップ＃６に進み、相手のペア部品があれば、ステップ＃５に進む。
【００３８】
ステップ＃５において、第１最適配線決定手段９が、ペア部品の中心座標を求め、図４（ｄ）に示すように、これらを結んで、表示手段上に強調表示する。強調表示の方法には種々の方法があり、本実施例の方法に限らない。
【００３９】
ステップ＃６において、配置対象になる電子部品が残っているか否かを判断し、残っていなければ自動配置処理を終了する。残っていればステップ＃２に戻る。
【００４０】
図４は、図２のフローチャートの動作を表示手段上に示したものである。
【００４１】
電子部品１０１、１０２、１０３、１０４、１０５を配置し配線する場合、電子部品１０２と１０３とをペア部品とする。
【００４２】
図４（ａ）、（ｂ）、（ｃ）に示すように、電子部品１０１、１０２、１０３が配置される。
【００４３】
図４（ｄ）に示すように、ペア部品１０２、１０３が検索されると、双方の中心座標が求められ、これらを結んで強調表示される。
【００４４】
図４（ｅ）に示すように、電子部品１０５の配置が終わると、自動配線処理実行部１０が、先ず、ペア部品１０２、１０３間の配線を行い、次いで、図４（ｆ）に示すように、配線を完了する。
【００４５】
上記のように、予め指定されているペア部品があれば、それらのペア部品は配置直後に表示手段に表示され、自動配置配線終了後もそれらの表示が残っているので、未熟な作業者でも、ペア部品の確認が容易であり、ペア部品間の配線を修正する必要がある場合でも、編集機能による修正が容易であり、設計効率を向上できる。
【００４６】
図３のフローチャートに、自動配置処理実行部５と、ペア部品情報格納手段７と、接続関係検索手段８と、第２最適配線決定手段との動作を示す。
【００４７】
ステップ＃７において、データベース格納部３に基づいて、配置対象になる電子部品が残っているか否かを判断し、残っていなければ自動配置処理を終了する。残っていればステップ＃８に進む。
【００４８】
ステップ＃８において、自動配置処理実行部５が、前記データベース格納部３の情報に基づき、且つ、前記情報格納部４の情報に従って前記プリント基板の部品配置を決定する。
【００４９】
ステップ＃９において、接続関係検索手段８が、現在対象になっている電子部品がペア部品か否かを、ペア部品情報格納部７の情報に基づいて判断し、ペア部品であれば、ペア部品の一つの情報として取得しておき、ステップ＃１０に進む。ペア部品でなければ、ステップ＃１２に進む。
【００５０】
ステップ＃１０において、接続関係検索手段８が、前記のペア部品に対して相手側になるペア部品が配置されているか否かをペア部品情報格納部７の情報に基づいて検索する。相手のペア部品がなければ、ステップ＃１２に進み、相手のペア部品があれば、ステップ＃１１に進む。
【００５１】
ステップ＃１１において、第２最適配線決定手段が、図５（ｅ）に示すように、接続関係検索手段８が検索したペア部品の配線を情報格納部４の情報に従い、自動配線処理実行部１０の配線決定動作に先立って決定する。
【００５２】
ステップ＃１２において、配置対象になる電子部品が残っているか否かを判断し、残っていなければ自動配置処理を終了する。残っていればステップ＃８に戻る。
【００５３】
図５は、図３のフローチャートの動作を示したものである。
【００５４】
電子部品１０１、１０２、１０３、１０４、１０５を配置し配線する場合、電子部品１０２と１０３とをペア部品とする。
【００５５】
図５（ａ）、（ｂ）、（ｃ）に示すように、電子部品１０１、１０２、１０３が配置される。
【００５６】
図５（ｄ）に示すように、ペア部品１０２、１０３が検索されると、ペア部品１０２、１０３に関する情報が取得される。
【００５７】
図５（ｅ）に示すように、電子部品１０５の配置が終わると、自動配線処理実行部１０が、先ず、ペア部品１０２、１０３間の配線を行い、次いで、図５（ｆ）に示すように、配線を完了する。
【００５８】
上記のように、予め指定されているペア部品があれば、それらのペア部品は配置後に検出され、検出されたペア部品の配線の決定を他の部品の配線の決定に先立って行うので、作業者による修正が不要になり、設計効率を大幅に向上できる。
【００５９】
【発明の効果】
本願第１発明のプリント基板自動配置配線決定方法は、電子部品の配置を決定し、続いて配線決定動作を行う際に、配線条件が予め指定されているペア部品を検索し、検索されたペア部品の配線を他の部品の配線に先立って決定するので、ペア部品の配線を指定条件通りに決定することができ、作業者の負担を軽減し、しかも、設計効率を向上できるという効果を奏する。
【００６０】
又、本願第２発明のプリント基板自動配置配線決定装置は、第１最適配線決定手段がペア部品を表示画面に表示するので、作業者は、ペア部品の配線状態の確認と修正とが容易になり、設計効率を向上できる。
【００６１】
又、本願第３発明のプリント基板自動配置配線決定装置は、第２最適配線決定手段が、自動配線処理実行部の配線決定動作に先立って、ペア部品の配線を決定するので、作業者の負担なしに、ペア部品の最適配線を完全自動化することができ、設計効率を大幅に向上できる。
【図面の簡単な説明】
【図１】本発明のプリント基板自動配置配線決定方法を使用するプリント基板自動配置配線決定装置の実施例の構成を示すブロック図である。
【図２】本発明の他の実施例の動作を示すフローチャートである。
【図３】本発明の他の実施例の動作を示すフローチャートである。
【図４】図２に示す実施例の動作を示す平面図である。
【図５】図３に示す実施例の動作を示す平面図である。
【図６】本発明の実施例のペア部品のファイルを示す図である。
【図７】本発明の実施例のペア部品のファイルの内容の一例を示す図である。
【図８】本発明の実施例のペア部品のファイルの内容の他の例を示す図である。
【図９】プリント基板自動配置配線決定装置の従来例の構成を示すブロック図である。
【図１０】従来例の動作の問題点を示す図である。
【図１１】従来例の動作の問題点を示す図である。
【符号の説明】
１  入力部
２  解析部
３  データベース格納部
４  情報格納部
５  自動配置処理実行部
６  ペア部品処理部
７  ペア部品情報格納手段
８  接続関係検索手段
９  第１最適配線決定手段
１０  自動配線処理実行部
１１  出力部
【図１】
0003761608.tif 000002
【図２】
0003761608.tif 000003
【図３】
0003761608.tif 000004
【図４】
0003761608.tif 000005
【図５】
0003761608.tif 000006
【図６】
0003761608.tif 000007
【図７】
0003761608.tif 000008
【図８】
0003761608.tif 000009
【図９】
0003761608.tif 000010
【図１０】
0003761608.tif 000011
【図１１】
0003761608.tif 000012